(57)【要約】      （修正有）【課題】製造コストや材料点数を削減するとともに、装着や取り外しが容易で広範囲に使用することができ、さらに操作性も優れた遮光具を提供する。【解決手段】シート体を筒状に巻回したロール本体と、前記シート体の先方部分に具備された装着具とからなる遮光具であって、前記シート体は、シート体を先方部分より引き出した際、元の筒状の状態に巻き戻す復元力を備えることを特徴とする。また、前記シート体に金属蒸着や層遮光フィルムを積層した。【選択図】図１
0003182277.tif 000002
【実用新案登録請求の範囲】
【請求項１】
シート体を筒状に巻回したロール本体と、前記シート体の先方部分に具備された装着具とからなる遮光具であって、前記シート体は、シート体を先方部分より引き出した際、元の筒状の状態に巻き戻す復元力を備えることを特徴とする遮光具。
【請求項２】
前記ロール本体は、二枚のシート体を筒状に巻回した請求項１記載の遮光具。
【請求項３】
前記シート体に金属蒸着層を積層した請求項１または２記載の遮光具。
【請求項４】
前記シート体に遮光フィルムを積層した請求項１または２記載の遮光具。
【請求項５】
前記遮光具は、車両のウインドウに装着される車両用遮光具である請求項１乃至４のうち何れか一項に記載の遮光具。
【請求項６】
前記遮光具は、建築物の窓に用いられるロールカーテンである請求項１乃至４のうち何れか一項に記載の遮光具。
【考案の詳細な説明】
【技術分野】
【０００１】  本考案は、装着や取り外しが容易で、且つ、広範囲に使用でき、さらに操作性も優れた遮光具に関する。
【背景技術】
【０００２】  建築物の窓には、レールに吊り下げられ、左右方向に開閉自在に装着された遮光用のカーテンが装着されている。また、筒状に巻回されたシート体を窓の上部に装着し、シート体の先方より下部に引き出すことにより遮光効果を実現するロールカーテンがある。【０００３】  また、上述のロールカーテンに関連する従来技術として、製造コストが安価であるとともに、設置態様のバリエーションが豊富で、設置場所の構造に拘わらず容易に取り付けることが可能なロールカーテンがある（例えば特許文献１参照）。【０００４】  上掲特許文献１のロールカーテンは、棒状の軸部材と、その軸部材を回転可能に保持する支持フレームと、長尺なシート状に形成されており前記軸部材に片端縁を固着させた状態で捲回可能に保持されたカーテンとからなるロールカーテンであって、
前記支持フレームの長手方向に沿ってガイドレールが設けられており、そのガイドレールに、複数の固着部材がスライド可能に保持されているとともに、
長手方向に伸縮自在に形成された押止棒状部材が、前記固着部材に固着された状態で、前記支持フレームに取り付けられており、押止棒状部材の両端縁が、支持フレームの両端よりも外側に位置していることを特徴とする。
【先行技術文献】
【特許文献】
【０００５】
【特許文献１】特開２０１０−２０３０４６号公報（特許請求の範囲等）
【考案の概要】
【考案が解決しようとする課題】
【０００６】  しかしながら、上掲特許文献１のロールカーテンは、カーテン本体の他、保持部材、固着部材、押止体、押止棒状部材、固定機構等の多くの部材を必要とするため、材料費や製造コストが高くなるという欠点があった。また前記ロールカーテンは、建築物の窓に装着されるもので、他の分野での使用はできないという問題もあった。【０００７】  そこで本考案の目的は上記問題点を解消して、製造コストや材料点数を削減するとともに、装着や取り外しが容易で広範囲に使用することができ、さらに操作性も優れた遮光具を提供することにある。
【課題を解決するための手段】
【０００８】  上記課題を解決するために、本考案の遮光具は、シート体を筒状に巻回したロール本体と、前記シート体の先方部分に具備された装着具とからなる遮光具であって、前記シート体は、シート体を先方部分より引き出した際、元の筒状の状態に巻き戻す復元力を備えることを特徴とする。【０００９】  また前記ロール本体は、二枚のシート体を筒状に巻回されている。【００１０】  また、前記シート体に金属蒸着層を積層した。【００１１】  また、前記シート体に遮光フィルムを積層した。【００１２】  さらに前記遮光具は、車両のウインドウに装着される車両用遮光具や建築物の窓に用いられるロールカーテンである。
【考案の効果】
【００１３】  本考案による遮光具は、シート体を筒状に巻回したロール本体と、前記シート体の先方部分に具備された装着具とからなる遮光具であって、前記シート体は、シート体を先方部分より引き出した際、元の筒状の状態に巻き戻す復元力を備えることにより、引き出したシート体を巻き戻すための部材を装着する必要がなく、製造コストや材料点数を削減することができる。【００１４】  また、前記シート体に金属蒸着層または遮光フィルムを積層したことにより、優れた遮光性や紫外線防止効果を実現できる。【００１５】
【図面の簡単な説明】
【００１６】
【図１】本考案の遮光具の全体斜視図である。
【図２】前記遮光具を展開した状態の斜視図である。
【図３】前記遮光具の要部拡大図である。
【図４】シート体の拡大断面図である。
【図５】他の好適例、シート体の拡大断面図である。
【図６】（ａ）（ｂ）（ｃ）は本考案の遮光具の使用状態である。
【図７】他の好適例、本考案の遮光具の全体斜視図である。
【図８】前記遮光具の使用状態斜視図である。
【図９】図７に示す遮光具の要部拡大図である。
【考案を実施するための形態】
【００１７】  本考案の遮光具は、製造コストや材料点数を削減するとともに、装着や取り外しが容易で広範囲に使用することができ、さらに操作性も優れたことを特徴とする。
以下、本考案における遮光具の実施の形態を図１乃至図９に基づいて説明する。
【００１８】  本考案の遮光具１は、車両のウインドウに装着される車両用遮光具や建築物の窓に用いられるロールカーテンであり、シート体３を筒状に巻回したロール本体２と、前記シート体３の先方部分に具備された装着具４とからなる。
【００１９】  シート体３の素材は、ポリアミド、ポリエチレン、ポリエチレンテレフタラート、ポリウレタン、ポリオレフィン、ポリブチレンテレフタレート、ポリプロピレン等、特にポリエチレンテレフタラートの樹脂シートからなる。また前記シート体３を巻回することで長尺筒状のロール本体２を形成することができる。
【００２０】  またシート体３の先方部分３´には、装着具４が装着されている。装着具４は、シート体３を保持する連結具５と、連結具５に装着された吸盤６とからなる。なお前記装着具４は、シート体３の先方部分３´に少なくとも１箇所、必要に応じて２箇所装着することが好ましい。
【００２１】  また特に前記シート体３は、シート体３を先方部分３´（装着具４が装着された側）より引き出した際、元の筒状の状態に巻き戻す復元力を備えることを特徴とする。例えば、前記シート体３を上層シートと下層シートの二層に形成し、上層シートと下層シートを積層する際、上層シートまたは下層シートのいずれか一方を伸長させて積層ることにより、シート体３に復元力を付与させることができる。そのことにより、図３に示すように、シート体３の先方部分３´から一定の力で引き抜くことで、容易に展開状態とすることができ、さらに先方部分３´から手を離すことで巻き戻されて元の筒状の状態に復元される。
【００２２】  また考案の遮光具１は、図１に示すように、２枚のシート体３ａ，３ｂを二重に巻回させた二層構造からなるロール本体２であってもよい。上述の構造により、図２及び図６の（ａ），（ｂ），（ｃ）に示すように、夫々のシート体３ａ，３ｂを左右方向に引き抜くことにより大形の矩形状に展開させることができる。特に上述の構造からなる遮光具１は、車両のウインドウに装着される車両用遮光具として好適に使用することができる。
【００２３】  また考案の遮光具１は、図７乃至図９に示すように、ロール本体３の中心部分に伸縮自在の横架棒７を配置させ、横架棒７の両側に係止部材１１を設け、さらにロール本体２の内部に筒状体１２を配置させた構造でもよい。
【００２４】  前記横架棒７を建築物の窓ガラスの上部に横架させ、シート体３の先方部分３´を引き出して、連結具５の吸盤６をガラスに吸着させることで、ロールカーテンとして使用することもできる。この際、吸盤６をガラスから取り外すことにより、図９に示すように、シート体３は巻き戻されて元の筒状の状態に復元される。なお、前記吸盤６と連結具５との間に紐を介在させてもよい。
【００２５】  また、他の好適例として、図４に示すように、前記シート体３に金属蒸着層８を積層した。金属蒸着層８は前記シート体３の片面、若しくは両面に施すことができる。金属蒸着層８をシート体２に積層させたことで、優れた遮光性を得ることができる。
【００２６】  また、他の好適例として、図５に示すように、前記シート体３に遮光フィルム９を積層してもよい。前記遮光フィルム９は市販の遮光フィルム９を好適に使用することができる。そのことにより、遮光性とともに、紫外線の入光を軽減することもできる。なお前記シート体３に、遮光性や紫外線防止特性を有する塗料や薬剤等を塗布してもよい。
【００２７】  上述の構成により本考案の遮光具１は、シート体３に、シート体３を先方部分３´より引き出した際、元の筒状の状態に巻き戻す復元力を備えることにより、引き出したシート体３を巻き戻すための部材を装着する必要がなく、製造コストや材料点数を削減することができる。
【００２８】  また、前記シート体３に金属蒸着層８または遮光フィルム９を積層したことにより、優れた遮光性特性と紫外線防止効果を得ることができる。
【符号の説明】
【００２９】１    遮光具
２    ロール本体
３、３ａ、３ｂ    シート体
３´  先方部分
４    装着具
５    連結具
６    吸盤
７    横架棒
８    金属蒸着層
９    遮光フィルム層
１１  係止部材
１２  筒状体
【図１】
0003182277.tif 000003
【図２】
0003182277.tif 000004
【図３】
0003182277.tif 000005
【図４】
0003182277.tif 000006
【図５】
0003182277.tif 000007
【図６】
0003182277.tif 000008
【図７】
0003182277.tif 000009
【図８】
0003182277.tif 000010
【図９】
0003182277.tif 000011
【手続補正書】
【提出日】平成24年12月25日(2012.12.25)
【手続補正１】
【補正対象書類名】実用新案登録請求の範囲
【補正対象項目名】請求項１
【補正方法】変更
【補正の内容】
【請求項１】
シート体を筒状に巻回したロール本体と、前記シート体の先方部分に具備された装着具とからなる遮光具であって、前記シート体が上層シートに下層シートが積層するものであり、いずれか一方のシートを伸長して積層する構造を有することを特徴とする遮光具。
【手続補正２】
【補正対象書類名】明細書
【補正対象項目名】０００８
【補正方法】変更
【補正の内容】
【０００８】  上記課題を解決するために、本考案の遮光具は、シート体を筒状に巻回したロール本体と、前記シート体の先方部分に具備された装着具とからなる遮光具であって、前記シート体が上層シートに下層シートが積層するものであり、いずれか一方のシートを伸長して積層する構造を有することを特徴とする。